(57)【要約】【課題】カップに対して安定した姿勢で固定されるスパウトを提供する。【解決手段】液体を収容し開口をフィルムＦで封止されたカップＣに装着されるスパウトＳにおいて、注出部と、フィルムＦを破って孔を開ける穿孔部とを有し、カップＣに固定される第１固定部１１と、第１固定部１１の固定位置に対してカップＣの異なる位置に固定される第２固定部１２と、第１固定部１１と第２固定部１２とを連結し、第１固定部１１及び第２固定部１２に対し、互いに接近する方向に弾性力を付与する連結部１３とを備え、第１固定部１１及び第２固定部１２によって、該スパウトＳを異なる複数の位置で支持する。【選択図】図１
2013067403.tif 000002
【特許請求の範囲】
【請求項１】
液体を収容し開口をフィルムで封止されたカップに装着されるスパウトにおいて、
注出部と、前記フィルムを破って孔を開ける穿孔部とを有し、前記カップに固定される第１固定部と、
前記第１固定部の固定位置に対して前記カップの異なる位置に固定される第２固定部と、
前記第１固定部と前記第２固定部とを連結し、前記第１固定部及び前記第２固定部に対し互いに接近する方向に弾性力を付与する連結部とを備え、
前記第１固定部及び前記第２固定部によって異なる複数の位置で支持されることを特徴とするスパウト。
【請求項２】
前記第１固定部及び前記第２固定部は、前記カップの縁部であって、前記カップの開口を介して対向する位置にそれぞれ固定されることを特徴とする請求項１に記載のスパウト。
【請求項３】
前記連結部は、一対の弓状部から構成され、該弓状部は前記第１固定部及び第２固定部の間で撓ませた状態で設けられるとともに、
前記弓状部は、その撓み量が減少する方向に伸張されることで前記第１固定部及び第２固定部を近接する方向に弾性力を付与する請求項１又は２に記載のスパウト。
【請求項４】
前記第１固定部は、該スパウトが前記カップに装着された装着位置で前記フィルムを下方に押圧するフランジ部をさらに備えた請求項１〜３のいずれか１項に記載のスパウト。
【請求項５】
前記穿孔部のうち、該スパウトが前記カップに装着された装着位置で前記カップの内側面と対向する位置には、前記穿孔部と前記カップ内側面との間隙と前記穿孔部内側とを連通する連通孔が形成されている請求項１〜４のいずれか１項に記載のスパウト。
【請求項６】
前記第２固定部は、前記フィルムに空気孔を開ける空気孔用の刃部をさらに備えた請求項１〜５のいずれか１項に記載のスパウト。
【発明の詳細な説明】
【技術分野】
【０００１】
この発明は、液体を収容したカップ内の開口を封止したフィルムを穿孔するとともにカップに固定されて飲み口として使用されるスパウトに関する。
【背景技術】
【０００２】
従来より、飲料を収容したカップの開口に、フィルムを固着して、飲料を気密状態に封止した製品が製造及び販売されている。この種のカップは、収容した飲料が冷却された状態で販売されており、カップ内の飲料を飲む際には、フィルムにストローを突き刺し、ストローを介して飲料を吸引する。
【０００３】
一方、カップに入れられた温かい飲料を飲む場合には、ストローを介した吸引量を制御しにくい等の理由から、ストローの使用は適さない。このため、温かい飲料を上記構成のカップに封入した場合にも好適に使用できるスパウト構造が要請されていた。
【０００４】
例えば特許文献１には、フィルム（密封シート）を押し切るスパウト構造を備えたオーバーキャップ付き容器が記載されている。このオーバーキャップは、フィルムの外側を覆うようにカップに装着されるものであって、容器本体の口部を全面にわたって覆い隠す天面壁を備える。また、この天面壁には、注出筒体が、ヒンジを介して揺動可能に保持されている。注出筒体は、ヒンジを起点とする引き起こしによって、天面壁に形成された貫通開口からその下方に挿入され、天面壁の下方に配置されたフィルムを押し切る。引き起こされた注出筒体は、注出筒体の外側面に形成された係合突起と、天面壁の貫通開口の縁部とを当接させて、その引き起こされた姿勢を保つようにする。
【先行技術文献】
【特許文献】
【０００５】
【特許文献１】特開２００９−１７９３４８号公報
【発明の概要】
【発明が解決しようとする課題】
【０００６】
しかし、上述したスパウト構造では、注出筒体は、オーバーキャップに対し、係合突起と縁部の基端とを当接させるのみで、引き起こされた姿勢を保つようにしているため、例えば注出筒体に対しカップ内側へ押圧するような力が加わった場合には、係合突起と凹部との係合が解除されてしまう可能性がある。係合突起と凹部との係合が解除されると、ヒンジを起点として、注出筒体が、カップ内側へ向かって傾動するため、カップから飲料を飲みにくくなる虞がある。従って、カップに対して安定した姿勢で固定されるスパウトが要請されていた。
【０００７】
本発明は、上記問題点に鑑みてなされたものであり、その目的は、カップに対して安定した姿勢で固定されるスパウトを提供することにある。
【課題を解決するための手段】
【０００８】
上記問題点を解決するために、請求項１に記載の発明は、液体を収容し開口をフィルムで封止されたカップに装着されるスパウトにおいて、注出部と、前記フィルムを破って孔を開ける穿孔部とを有し、前記カップに固定される第１固定部と、前記第１固定部の固定位置に対して前記カップの異なる位置に固定される第２固定部と、前記第１固定部と前記第２固定部とを連結し、前記第１固定部及び前記第２固定部に対し互いに接近する方向に弾性力を付与する連結部とを備え、前記第１固定部及び前記第２固定部によって異なる複数の位置で支持されることを要旨とする。
【０００９】
請求項１に記載の発明によれば、スパウトは、カップに固定される第１固定部及び第２固定部と、第１固定部に形成された注出部及び穿孔部とを備えるので、スパウトの注出部からカップ内の飲料を飲むことができる。また、スパウトは、異なる複数の位置で支持されるとともに、連結部は、第１固定部及び第２固定部が互いに近接する方向に弾性力を付与するため、カップを挟むような弾性力が付与され、スパウトをカップに対して強固に固定することができる。このため、スパウトが傾いたりずれたりしにくく、カップ内の液体を飲みやすくすることができる。
【００１０】
請求項２に記載の発明は、請求項１に記載のスパウトにおいて、前記第１固定部及び前記第２固定部は、前記カップの縁部であって、前記カップの開口を介して対向する位置にそれぞれ固定されることを要旨とする。
【００１１】
請求項２に記載の発明によれば、第１固定部及び第２固定部は、カップ開口を介して対向する位置にそれぞれ固定されるので、連結部は、カップ開口を横切るように配設される。従って、スパウトを、カップ重心に対して、重みが一方に偏らないように固定することができるため、スパウトを装着することによってカップが倒れやすくなることを抑制し、スパウトが装着されたカップ全体を安定した姿勢にすることができる。
【００１２】
請求項３に記載の発明は、請求項１又は２に記載のスパウトにおいて、前記連結部は、一対の弓状部から構成され、該弓状部は前記第１固定部及び第２固定部の間で撓ませた状態で設けられるとともに、前記弓状部は、その撓み量が減少する方向に伸張されることで前記第１固定部及び第２固定部を近接する方向に弾性力を付与することを要旨とする。
【００１３】
請求項３に記載の発明によれば、連結部は、撓ませて設けられた弓状部から構成されるので、帯上部を撓み量が減少する方向に伸張させて第１固定部及び第２固定部をカップに固定することができる。
【００１４】
請求項４に記載の発明は、請求項１〜３のいずれか１項に記載のスパウトにおいて、前記第１固定部は、前記装着位置で前記フィルムを下方に押圧するフランジ部をさらに備えたことを要旨とする。
【００１５】
請求項４に記載の発明によれば、装着位置でフランジ部はフィルムに押し付けられるので、スパウトとフィルムとの間のシール性を確保することができる。
請求項５に記載の発明は、請求項１〜４のいずれか１項に記載のスパウトにおいて、前記穿孔部のうち、前記装着位置で前記カップの内側面と対向する位置には、前記穿孔部と前記カップ内側面との間隙と前記穿孔部内側とを連通する連通孔が形成されていることを要旨とする。
【００１６】
請求項５に記載の発明によれば、穿孔部のうち、カップの内側面と対向する位置には連通孔が形成されているので、穿孔部とカップ内側面との間隙に介入した液体も、連通孔を介して、穿孔部内側に導出することができる。
【００１７】
請求項６に記載の発明は、請求項１〜５のいずれか１項に記載のスパウトにおいて、前記第２固定部は、前記フィルムに空気孔を開ける空気孔用の刃部をさらに備えたことを要旨とする。
【００１８】
請求項６に記載の発明によれば、第２固定部には、空気孔用の刃部をさらに備えたので、スパウトを装着する一つの工程で、液体を導出する孔と空気孔との両方を開けることができる。
【図面の簡単な説明】
【００１９】
【図１】本発明を具体化した一実施形態のスパウトであって、カップに固定された状態を示す斜視図。
【図２】同スパウトを正面側からみた斜視図。
【図３】同スパウトを背面側からみた斜視図。
【図４】同スパウトを幅方向中央で切断した断面図。
【図５】同スパウトの下面図。
【図６】同スパウトの側面図。
【図７】同スパウトの装着開始状態を示す断面図。
【図８】同スパウトの装着開始状態を示す平面図。
【図９】同スパウトの装着完了状態を示す断面図。
【図１０】同スパウトの装着完了状態を示す平面図。
【図１１】同スパウトが装着されたカップを傾けた状態を示す断面図。
【図１２】本発明を具体化した別例のスパウトであって、カップに固定された状態を示す平面図。
【図１３】本発明を具体化した別例のスパウトであって、カップに固定された状態を示す平面図。
【図１４】本発明を具体化した別例のスパウトであって、カップに固定された状態を示す断面図。
【発明を実施するための形態】
【００２０】
以下、本発明のスパウトを具体化した一実施形態を図１〜図１０にしたがって説明する。
図１に示すように、本実施形態のスパウトＳは、飲料を収容したカップＣに対して装着され、カップＣを傾けて飲料を啜るために使用されるものである。カップＣは、飲料を収容したカップ本体Ｂと、カップ本体Ｂの上部開口を、ポリエチレンテレフタレート（ＰＥＴ）等の切り裂き可能なフィルムＦで封止した構成である。カップ本体Ｂは、その開口部に、外側に向かって突き出したカップ鍔部Ｃ１を有している。カップ鍔部Ｃ１の上面は、数ｍｍの幅を有し、フィルムＦの周縁は、このカップ鍔部Ｃ１の上面に対し熱溶着又は接着剤により固着されることで、カップＣに張設されている。このスパウトＳは、飲料を飲む前にフィルムＦの一部に固定され、使用後はカップＣから取り外すことができる。尚、スパウトＳがカップＣに装着された際に、カップＣの径方向内側を向く面を正面、径方向外側の面を背面とし、フィルムＦの上面側となる面を平面、カップ底面側を向く面を下面とする。
【００２１】
スパウトＳは、カップＣの縁部に固定される第１固定部１１と、第１固定部１１の固定位置に対して、カップ開口を介した対向位置に固定される第２固定部１２と、第１固定部１１及び第２固定部１２を連結する連結部１３とを備えている。このスパウトＳは、ポリプロピレン（ＰＰ）、ポリエチレンテレフタレート（ＰＥＴ）、ポリエチレン（ＰＥ）等の樹脂からなり、射出成形等によりそれぞれ成形されている。
【００２２】
まず、第１固定部１１について説明する。図２に示すように、第１固定部１１は、略板状の台座１４を備えている。この台座１４の中央には、楕円形状の注出孔１６が厚み方向に貫通形成されている。また、台座１４の上面には、注出孔１６を囲むように筒状の注出部１７が形成されている。この注出部１７は、背壁部１７ａの高さが最も高く、背壁部１７ａから前面側に向かうにつれて高さが低くなるような形状に形成されている。
【００２３】
また図３に示すように、台座１４の背面側には、ガイド部１５が形成されている。ガイド部１５は、台座１４に対して垂直且つ下方に向かって延出されている。また、ガイド部１５の幅方向（図中Ｙ方向）の形状は、カップ鍔部Ｃ１の周方向の形状に合わせて、正面側に湾曲している。さらに、ガイド部１５の下端は円弧状に湾曲している。また、図４に示すように、ガイド部１５の正面のうち、高さ方向（図中Ｚ方向）及び幅方向の中央には、掛止爪１５ａが正面側に突出するように形成されている。
【００２４】
また、図４に示すように、台座１４の下面には、注出孔１６を囲む筒状の穿孔部１８が形成されている。穿孔部１８は、その先端が、正面から背面に向かって下方に傾斜した先細り形状に形成されている。また、穿孔部１８のうち、ガイド部１５と対向する背面側には、一対の略楕円形状の連通孔１８ａが貫通形成されている。
【００２５】
また、台座１４の下面であって、穿孔部１８の基端部には、フランジ部１９が形成されている。フランジ部１９は、その基端から先端にかけて斜め下方に延出されている。またフランジ部１９の正面側の先端は、背面側の先端よりも下方に向かって張り出し、フランジ部１９は側面からみて正面側に傾いた形状となっている。
【００２６】
次に、第２固定部１２について説明する。図３に示すように、第２固定部１２は、板状をなし、その幅方向（図中Ｙ方向）の形状が、カップ鍔部Ｃ１の周方向の形状に合わせて背面側に向かって湾曲している。その長手方向の長さは、ガイド部１５の幅方向の長さとほぼ同じになっている。
【００２７】
図４に示すように、第２固定部１２の背面のうち、高さ方向及び幅方向の中央には、掛止爪１２ａが形成されている。さらに、図５に示すように、第２固定部１２の背面のうち、掛止爪１２ａの上方には、空気孔形成部２１が張り出している。この空気孔形成部２１の下面には、円錐状の刃部２２が突出形成されている。
【００２８】
次に、連結部１３について説明する。図２に示すように、連結部１３は、内側に弓状に撓んだ１対の弓状部１３ａから構成されている。弓状部１３ａは、その一端が、第１固定部１１の正面側の両端部に固定され、他端が、第２固定部１２の両端に固定されている。
【００２９】
弓状部１３ａは、外力が加えられていない状態では、内側に撓んだ原位置に配置されている。このとき、図６に示すように、ガイド部１５の外周面から第２固定部１２の外周面までの長さ（以下、全長Ｌ１という）は、カップ鍔部Ｃ１を含めたカップＣの直径よりも数ｍｍ〜数ｃｍ程小さい長さである。
【００３０】
そして、第１固定部１１を固定し、第２固定部１２を、第１固定部１１から離間させるように引っ張ると、撓んでいた弓状部１３ａが、その撓み量が減少する方向に伸張される。その結果、スパウトＳの全長Ｌ１は長くなり、カップＣの直径に到達する。この際、弓状部１３ａは、元の撓んだ原位置に戻ろうとするので、弓状部１３ａの復元力により、第１固定部１１及び第２固定部１２に対し互いに近接する方向の弾性力が付与される。
【００３１】
このように、スパウトＳは、フィルムＦ全域を覆うような容器一体型の蓋部ではなく、カップＣとは独立したアタッチメントとして機能するので、小型化することができる。このため、スパウトＳに使用される樹脂量を減らすことができるので、コストを低減することができる。
【００３２】
次に本実施形態のスパウトＳの作用について図７〜図１１に従って説明する。スパウトＳをカップＣに装着する際には、図７に示すように、スパウトＳの弓状部１３ａの長手方向をフィルムＦに対して平行にする。そして、ガイド部１５の内側面をカップ鍔部Ｃ１の外側面に当接させながらスパウトＳを下降させる。すると、ガイド部１５と穿孔部１８との間隙にカップ鍔部Ｃ１が差し込まれる。
【００３３】
またスパウトＳを下降させると、穿孔部１８の先端がフィルムＦに突き刺さり、フィルムＦの穿孔が開始される。さらにスパウトＳをカップＣに近付けるように下降させると、穿孔部１８がカップＣにより深く差し込まれ、フィルムＦの孔がその外側に向かって拡大されていく。
【００３４】
第１固定部１１のみにカップ鍔部Ｃ１を差し込んだ状態では、図８に示すように、弓状部１３ａは内側に撓んだ原位置に配置され、第２固定部１２はカップＣの縁部に固定されていない状態である。また、スパウトＳの全長Ｌ１は、カップ鍔部Ｃ１まで含めたカップＣの直径よりも小さい。
【００３５】
第１固定部１１のみにカップ鍔部Ｃ１を差し込んだ状態から、第２固定部１２をカップ径方向外側に向かって引っ張ると、図９に示すように弓状部１３ａが伸長して、その撓み量が減少していく。そして、第２固定部１２をカップ鍔部Ｃ１まで引っ張ると、第２固定部１２をカップ鍔部Ｃ１に引っ掛ける。
【００３６】
その結果、図１０に示すように、第１固定部１１及び第２固定部１２がカップＣに固定される。スパウトＳがカップＣに固定された装着位置では、第１固定部１１及び第２固定部１２の固定位置は、カップ開口を介して対向した位置となる。換言すると、それらの各固定位置は、カップＣの高さ方向と平行な中心軸Ｘ１を基準として、互いに対称となる位置である。この装着位置では、スパウトＳの全長Ｌ１は、カップ鍔部Ｃ１まで含めたカップＣの直径とほぼ同じとなる。
【００３７】
また連結部１３は、撓みが減少した伸張位置に配置され、原位置に戻ろうとする復元力により、第１固定部１１及び第２固定部１２に対しカップ径方向内側に向かう方向の弾性力を付与する。その結果、第１固定部１１及び第２固定部１２は、カップＣの縁部を外側から挟むように押圧力を付与するので、スパウトＳはカップＣに強固に固定される。
【００３８】
また、スパウトＳが装着位置にあるとき、第１固定部１１の穿孔部１８は、カップＣに対してより深く差し込まれ、フィルムＦには、円形状の孔が開けられる。また、フランジ部１９は、フィルムＦが固着されたカップ鍔部Ｃ１とカップ開口部に張設されたフィルムＦの上面に圧接され、スパウトＳとフィルムＦとの間のシール性を確保する。このとき、フランジ部１９とフィルムＦが固着されたカップ鍔部Ｃ１とが圧接されるため、シール性を良好に確保することができる。さらに、フランジ部１９が正面側に傾いていることから、フランジ部１９の正面側の先端が、比較的撓みやすいカップ径方向内側のフィルムＦに圧接されるため、フランジ部１９の先端とフィルムＦとの間に、隙間を生じさせないようにすることができる。
【００３９】
また、第２固定部１２の刃部２２は、フィルムＦに孔を開ける。このとき形成される孔は、穿孔部１８によって形成される孔に比べ、開口面積が小さく、穿孔部１８によって形成された孔の位置に対し、カップ中心軸を介してほぼ対称となる位置に設けられている。
【００４０】
このように装着位置にあるスパウトＳは、連結部１３の弾性力により、スパウトＳのカップ径方向、高さ方向、周方向の移動が規制される。さらに、第１固定部１１の台座１４がカップ鍔部Ｃ１及びフィルムＦの上方に配置されるので、カップ深さ方向への移動も規制される。また、スパウトＳを上方に移動させるような外力が加わると、掛止爪１２ａ，１５ａとカップ鍔部Ｃ１に掛止され、その移動を規制する。このため、スパウトＳが、カップＣに対して傾いたりずれたりしにくく、安定した姿勢を保持することができる。
【００４１】
また、スパウトＳは、カップＣの中心軸を通り、且つカップ開口を横切るように装着される。このため、スパウトＳを、カップ重心に対して、重みが一方に偏らないように固定することができるため、スパウトＳを装着することによってカップＣが倒れやすくなることを抑制し、スパウトＳが装着されたカップ全体を安定した姿勢にすることができる。
【００４２】
スパウトＳが装着されたカップ内の飲料を飲む際には、図１１に示すように、注出部１７の背壁部１７ａ側にカップＣを傾ける。すると、カップ内の飲料Ｌが、空気孔から流入した空気によって押し出され、フィルムＦの下方に配置された穿孔部１８内に流入し、注出孔１６を介して注出部１７に導出されるので、注出部１７に口をつけて飲料Ｌを飲むことができる。この際、上述したようにスパウトＳが傾いたり、ずれたりしにくいので、飲料Ｌを飲みやすくすることができる。
【００４３】
また、カップＣを傾けると飲料Ｌがスパウト近傍に飲料Ｌが集まるため、スパウト近傍は水圧が高くなるが、上述したようにフランジ部１９がフィルムＦを介してカップ鍔部Ｃ１に圧接されることでシール性が高められ、飲料Ｌが、スパウトＳとフィルムＦとの間から漏れ出すことを抑制することができる。また、穿孔部１８とカップ内側面との間に介在する飲料Ｌも、穿孔部１８の連通孔１８ａを介して、穿孔部内に導出することができるので、カップ内に飲料を極力残さずに飲むことができる。
【００４４】
従って、上記実施形態によれば、以下の効果を得ることができる。
（１）上記実施形態では、スパウトＳは、カップに固定される第１固定部１１及び第２固定部１２と、第１固定部１１に形成された注出部１７及び穿孔部１８とを備えるので、スパウトＳの注出部１７からカップ内の飲料を飲むことができる。また、連結部１３は、第１固定部１１及び第２固定部１２が互いに近接する方向に弾性力を付与するため、第１固定部１１及び第２固定部１２に対しカップＣを挟むような弾性力が付与され、スパウトＳをカップＣに対して強固に固定することができる。このため、スパウトＳが、傾いたりずれたりしにくく、カップＣに固定された装着位置で安定した姿勢を保持することができるので、カップ内の液体を飲みやすくすることができる。
【００４５】
（２）上記実施形態では、第１固定部１１及び第２固定部１２を、カップ上方縁部のそれぞれ異なる位置に固定するようにした。即ち、連結部１３は、カップ中心軸を通り、カップ開口を横切るように装着される。このため、スパウトＳを、カップ重心に対して、一方に偏らないように固定することができるため、スパウトＳを装着することによってカップＣが倒れやすくなることを抑制し、スパウトＳが装着されたカップ全体を安定した姿勢にすることができる。
【００４６】
（３）上記実施形態では、連結部１３は、第１固定部１１及び第２固定部１２の間に撓ませて設けられた弓状部１３ａから構成されるので、第２固定部１２を、撓み量が減少する方向に引っ張ることで、第１固定部１１及び第２固定部１２に対し、互いに近接する方向に弾性力を付与することができる。また、連結部１３の構成を複雑化せず、スパウトＳに一体に成形することができる。
【００４７】
（４）上記実施形態では、スパウトＳは、装着位置でフィルムＦに当接するフランジ部１９を備えた。また、フランジ部１９は、正面側に傾斜しているので、撓みやすい径方向内側のフィルムＦにフランジ部１９を圧接させることができる。このため、スパウトＳとフィルムＦとの間のシール性を確保し、スパウトＳとフィルムＦとの隙間から飲料が漏出することを抑制することができる。
【００４８】
（５）上記実施形態では、穿孔部１８のうち、カップＣの内側面と対向する位置には連通孔１８ａが形成されているので、カップ内の飲料を飲む際に、穿孔部１８とカップ内側面との間隙に介入した飲料も、この連通孔１８ａを介して、穿孔部内側に導出して飲むことができる。
【００４９】
（６）上記実施形態では、第２固定部１２には、空気孔用の刃部２２をさらに備えたので、スパウトＳを装着する一つの工程で、飲料を導出する孔と空気孔との両方をフィルムＦに開けることができる。
【００５０】
尚、上記実施形態は以下のように変更してもよい。
・連結部は、弓状に撓んだ弓状部１３ａ以外に、蛇腹状の弓状部等から構成してもよい。又は、連結部は、スパウト本体に一体に成形されていなくてもよく、ゴム等の他の弾性部材から構成してもよい。ゴム部材から連結部を構成する場合には、図１２に示すように、第１固定部１１及び第２固定部１２に、ゴム部材５０の一部をそれぞれ固定する。ゴム部材５０は、第２固定部１２が引っ張られた際に伸長し、第１固定部１１及び第２固定部１２が互いに近接する方向に弾性力を付与する。
【００５１】
・上記実施形態では、第２固定部（第２固定部１２）を１つとしたが、複数でもよい。例えば、図１３に示すように、第２固定部１２を３つ設け、第１固定部１１及び第２固定部１２を、連結部である弓状部１３ａによって連結してもよい。尚、弓状部１３ａは、外部から力が加えられていない状態では、第１固定部１１及び第２固定部１２の間に撓ませて配置されている。この際、スパウトＳは、カップＣの４点で支持されるので、カップＣに対し安定した姿勢で固定される。
【００５２】
・上記実施形態では、第１固定部及び第２固定部を、カップ開口を介して対向する位置にそれぞれ固定したが、これ以外の位置にそれぞれ固定してもよい。例えば、図１４に示すように、スパウトＳのガイド部１５から、下方に連結部５５を延ばし、その先端に第２固定部５６を設けてもよい。第１固定部１１はカップ鍔部Ｃ１に固定され、第２固定部５６は例えば鉤状をなしカップＣの底部に形成された切欠きＣ２（又は凹部）に固定される。また、カップＣに固定されていない際には連結部５５は撓んだ状態で設けられている。この場合でも、スパウトＳは、カップＣの２点で支持され、第１固定部及び第２固定部に対し互いに近接するような弾性力を付与するので、カップＣに強固に固定される。
【００５３】
・掛止爪１２ａ，１５ａは、第２固定部１２及びガイド部１５の幅方向の全域に亘って形成されていてもよい。
・第１固定部１１の下面にシリコン等のシール部材を固着する等して、スパウトＳとフィルムＦとのシール性が良好に確保される場合には、フランジ部１９を省略してもよい。
【００５４】
・穿孔部１８に形成される連通孔１８ａは、１対形成されているとしたが、１個でもよく、３個以上でもよい。また、連通孔１８ａは、幅方向に延びるスリットでもよい。
・上記実施形態では、空気孔をフィルムＦに形成する刃部２２を、第２固定部１２に設けたが、第１固定部１１のうち、穿孔部１８よりも先端（正面）側に設けてもよく、連結部１３の途中に設けるようにしてもよい。
【００５５】
・上記実施形態では、カップＣには温かい飲料に限らず、冷たい飲料が封入されていてもよい。また、飲料でなくても、飲用可能な医薬品等の液体でもよい。
【符号の説明】
【００５６】
１１…第１固定部、１２,５６…第２固定部、１３，５５…連結部、１３ａ…弓状部、１８…穿孔部、１７…注出部、１８ａ…連通孔、１９…フランジ部、２２…刃部、Ｃ…カップ、Ｆ…フィルム、Ｓ…スパウト。
【図１】
2013067403.tif 000003
【図２】
2013067403.tif 000004
【図３】
2013067403.tif 000005
【図４】
2013067403.tif 000006
【図５】
2013067403.tif 000007
【図６】
2013067403.tif 000008
【図７】
2013067403.tif 000009
【図８】
2013067403.tif 000010
【図９】
2013067403.tif 000011
【図１０】
2013067403.tif 000012
【図１１】
2013067403.tif 000013
【図１２】
2013067403.tif 000014
【図１３】
2013067403.tif 000015
【図１４】
2013067403.tif 000016